(57)【要約】【課題】収納された粉体のブロッキングが抑制され、ブロッキングする可能性がほとんど無いフレキシブルコンテナーバックを提供する。【解決手段】封止可能な注入口を有する上面部（２）と、封止可能な排出口を有する底面部（３）と、筒状の胴部（１）からなるフレキシブルコンテナーバックであって、胴部に横方向に少なくとも１本の吊りベルトもしくはロープ（４）を、上面もしくは胴部上部に縦方向に少なくとも１本の吊りベルトもしくはロープ（５）を取り付けたことを特徴とするフレキシブルコンテナーバック。【選択図】  図１
2004352288.tif 000002
【特許請求の範囲】
【請求項１】
封止可能な注入口を有する上面部と、封止可能な排出口を有する底面部と、筒状の胴部からなるフレキシブルコンテナーバックであって、胴部に横方向に少なくとも１本の吊りベルトもしくはロープを、上面もしくは胴部上部に縦方向に少なくとも１本の吊りベルトもしくはロープを取り付けたことを特徴とするフレキシブルコンテナーバック。
【請求項２】
横方向の吊りベルトもしくはロープが２本で、各々が胴部の相対する位置２箇所に２本が平行に取り付けられ、縦方向の吊りベルトもしくはロープが２本で、各々が２箇所に２本が平行に取り付けられた請求項１記載のフレキシブルコンテナーバック。
【請求項３】
横方向および／または縦方向の２本の吊りベルトもしくはロープを結束する手段を有する請求項２記載のフレキシブルコンテナーバック。
【請求項４】
横方向の吊りベルトもしくはロープが胴部の外周に沿って周回する部分を有する円状のベルトもしくはロープである請求項１〜３のいずれか記載のフレキシブルコンテナーバック。
【請求項５】
胴部の高さ（上面、下面間の長さ）が、胴部の長径の１〜２倍である請求項１〜４のいずれか記載のフレキシブルコンテナーバック。
【請求項６】
胴部の形状が円柱形である請求項１〜５のいずれか記載のフレキシブルコンテナーバック。
【発明の詳細な説明】
【０００１】
【発明の属する技術分野】
本発明は、粉体やペレットを収納して輸送するための筒状のフレキシブルコンテナーバックに関する。
【０００２】
【従来の技術】
粉体やペレット等の粉粒体を大量に輸送するために、フレキシブルコンテナーバックを利用する頻度が増加し、その改良についても種々検討されている（例えば、特許文献１参照）。
ところが、従来のフレキシブルコンテナーバックにおいては、粉体の種類によっては、粉体の自重や温度等の影響により、粉体同士が融着しブロッキング化するため、粉体の取り出しが困難となる場合がある。
【０００３】
【特許文献１】
特開２０００−２０３６８７号公報
【０００４】
【発明が解決しようとする課題】
本発明は、収納された粉体のブロッキングが抑制され、ブロッキングする可能性がほとんど無いフレキシブルコンテナーバックを提供することを目的とする。
【０００５】
【課題を解決するための手段】
本発明者らは、上記問題点を解決するため鋭意検討した結果、本発明を完成した。すなわち本発明は、封止可能な注入口を有する上面部と、封止可能な排出口を有する底面部と、筒状の胴部からなるフレキシブルコンテナーバックであって、胴部に横方向に少なくとも１本の吊りベルトもしくはロープを、上面もしくは胴部上部に縦方向に少なくとも１本の吊りベルトもしくはロープを取り付けたことを特徴とするフレキシブルコンテナーバックである。
【０００６】
【発明の実施の形態】
本発明を図１および２を用いて詳しく説明する。図１は本発明のフレキシブルコンテナーバックの１例を示す正面図であり、図２はその保管状態を示す斜視図である。
図１および図２において、１はフレキシブルコンテナーバックの筒状の胴部、２は封止可能な注入口を有する上面部、３は封止可能な注入口を有する底面部である。４ａおよび４ｂは胴部の横方向に取り付けた吊りベルトであり、５ａおよび５ｂは胴部上部に縦方向に取り付けられた吊りロープである。また、２１および２２は封止可能な注入口の例としての、筒状体（２１）および縛り紐（２２）である。３１および３２は封止可能な排出口の例としての、筒状体（３１）および縛り紐（３２）である。
【０００７】
胴部（１）は通常筒状であり、形状としては、円柱状、略四角柱状、楕円柱状などが挙げられる。これらの中では、図に示す円柱状が、取り出し後に粉粒体がコンテナーバック内の角等に残る恐れが無く、好ましい。
胴部（１）を構成する材料としては、粉体等の内容物が透過せず、輸送時等に破断しない強度を有する材質であれば特に限定されないが、例えばシート状の、ＥＶＡ（エチレン・酢酸ビニル共重合体）、ポリ塩化ビニル、ポリエチレン、およびポリプロピレン等が挙げられる。これらの中で好ましくはＥＶＡである。
【０００８】
上面部（２）は、粉粒体の充填時および取り出し時に上面となる部分であり、充填時には開き、運搬、保管、および取り出し時には封止することが可能な注入口を有する。注入口は上記の機能を有するように構成されれば特に限定されないが、図１においては、筒状に上方に延びた筒状体（２１）と、それを巾着状に縛って封入するための縛り紐（２２）とで構成された例を、開いた状態で示している。封止をより確実にするために、（２１）と（２２）は２重になっていてもよい。
【０００９】
下面部３は、粉粒体の充填時および取り出し時に下面となる部分であり、取り出し時には開き、運搬、保管、および充填時には封止することが可能な排出口を有する。排出口は上記の機能を有するように構成されれば特に限定されないが、図１においては、筒状に下方に延びた筒状体（３１）と、封入するための縛り紐（３２）とで構成された例を、開いた状態で示している。封止をより確実にするために、（３１）と（３２）は２重になっていてもよい。
また、筒状体（２１）と筒状体（３１）の材質としては、例えば、胴部（１）と同様のものが挙げられる。
【００１０】
本発明においては、封止性を高めるため、内袋を有する２重構造となっていてもよいが、収納物のブロッキング防止の点からは、内袋を有しないのが好ましい。
【００１１】
本発明においては、胴部に横方向に少なくとも１本の吊りベルトもしくはロープ（４）を取り付ける。ベルト状、ロープ状のいずれでもよいが、ベルトが好ましい。図１および図２は、（４ａ）および（４ｂ）の２本のベルトを取り付けた例である。
吊りベルトもしくはロープは、フォークリフト等での積み降ろし、運搬や、クレーンでの吊り上げを行う際に、フォークリフトの爪の差し込みやフックの取り付け等により吊り上げるためのものである。本数としては、１本以上であればよいが、吊り上げた時の安定性と、充填等の作業時に邪魔になりにくい点から、２本が好ましい。ベルトもしくはロープ（４）を胴部（１）に取り付ける方法は、吊りあげた時の安定性から、各々を筒状の胴部（１）の相対する位置２箇所（円柱形の場合は断面の円の中心をはさんで点対称となる２箇所）に取り付け、さらに２本を図に示すように、重心からの距離が等しくなるように、且つ平行に取り付けるのが好ましい。
横方向の吊りベルトもしくはロープ（４）は、複数のコンテナーバックを並べた場合に他の容器に挟まらないように２本を結束する手段を有しているのが好ましい。結束する手段としては、着脱が容易な点から面ファスナーが好ましい。
【００１２】
（４）を取り付ける方法としては、縫合、接着剤による接着、これらの併用のいずれでもよいが、好ましくは縫合、および縫合と接着の併用である。胴部（１）の取り付け箇所には、吊り上げ時に負荷がかかるため、必要によりあて布等により補強してもよい。また、図に示すように吊り上げる側の反対側が、胴部の外周に沿って周回（円柱形の場合は略半周）する部分を有する円状のベルトもしくはロープであると、負荷が分散されるため好ましい。胴部の外周に沿って周回する部分は、全体を縫合および／または接着により胴部（１）に取り付けても一部を取り付けてもよい。
ベルトもしくはロープ（４）の長さは、吊り上げ可能であれば、特に限定されないが、例えば容量が２５０Ｌで高さ７０ｃｍの円筒型コンテナーの場合、上方にピンと張った時の胴部（１）からの距離が、５０〜１５０ｃｍが好ましい。（４）の大きさは、特に限定されないが、２５０Ｌ程度のコンテナーの場合、ベルトであれば幅３〜８ｃｍ、ロープであれば直径１〜３ｃｍが好ましい。
【００１３】
本発明においては、さらに、上面もしくは胴部上部に縦方向に少なくとも１本の吊りベルトもしくはロープ（５）を取り付ける。ベルト状、ロープ状のいずれでもよいが、ロープが好ましい。図１および図２は、（５ａ）および（５ｂ）の２本のロープを取り付けた例である。
吊りベルトもしくはロープは、横方向のものと同様の目的で用いられる。本数としては、１本以上であればよいが、吊り上げた時の安定性と、充填等の作業時に邪魔になりにくい点から、２本が好ましい。ベルトもしくはロープ（５）の取り付け位置は、上面部でも可能であるが、吊りあげた時の安定性と充填時の作業性から、各々を筒状の胴部（１）上部（好ましくは胴部の長さの上から１／３以内）の２箇所に取り付け、さらに２本を図に示すように、上面の中心からの距離が等しくなるように、且つ平行に取り付けるのが好ましい。
また、図２に示すように、横方向の吊りベルトもしくはロープ（４）を上にして横置きしたときに、地面と平行方向に取り付けると、図２の状態からクレーンのフック等で（５）を用いて吊り上げる際に、片吊りになる恐れがなく、好ましい。
また、横方向の吊りベルトもしくはロープ（４）と同様に、（５）は面ファスナー等の２本を結束する手段を有しているのが好ましい。
【００１４】
取り付ける方法としては、縫合、接着剤による接着、これらの併用のいずれでもよいが、好ましくは縫合、および縫合と接着の併用である。取り付け箇所には、吊り上げ時に負荷がかかるため、必要によりあて布等により補強してもよい。
ベルトもしくはロープの大きさは、横方向のものと同様である。また、長さは、前記２５０Ｌコンテナーの場合、上方にピンと張った時の、注入口を閉じた状態の上面部（２）からの距離が、５０〜１５０ｃｍが好ましい。
【００１５】
これらの横方向および縦方向のベルトもしくはロープの材質は、吊り上げを繰り返しても切断しない強度を有する材質であれば、特に限定されず、ナイロン等の合成繊維、合成繊維の表面を樹脂コーティングしたもの等が挙げられる。
【００１６】
本発明のフレキシブルコンテナーバックにおいては、注入口および排出口の大きさを、上面または下面のほぼ全面として仕込みや取り出しを容易にしても、上面および下面の大きさが適度で、注入口や排出口が大きくなり過ぎず、かつ多量の粉粒体を収納することができるように、胴部の高さ（上面、下面間の長さ）が、胴部の長径以上である縦長型であることが好ましい。胴部の高さは、収納効率の面からは長ければ長い程良いが、パレット積載時等の運搬および保管条件の面から、さらに好ましくは胴部の高さが長径の１〜２倍、とくに好ましくは１．０１〜１．５倍である。
【００１７】
本発明のフレキシブルコンテナーバックは、横方向と縦方向の双方に少なくとも１本（好ましくは２本）の吊りベルトもしくはロープを取り付けたので、縦方向、横方向の何れからもコンテナーバックを吊り上げることができるので、コンテナーバックの縦置き、横置きを容易に変換できる。
【００１８】
【発明の効果】
本発明のフレキシブルコンテナーバックは、上記のように、縦置き、横置きを容易に変換できるため、特に縦長のコンテナーバックの場合、充填および取り出し時には縦置きとして、効率的な充填および取り出しが可能であり、且つ運搬および保管時には横置きとして、縦置きする場合よりも、粉体の自重の影響によって粉体同士が融着し、ブロッキング化することを大幅に抑制することができる。特に円柱状フレキシブルコンテナーバックの場合、横置きすると変形して平たくなりやすく、高さが低くなるため、特にブロッキング防止効果が大きい。したがって、本発明のフレキシブルコンテナーバックは、粉粒体一般用として、特に熱可塑性ポリウレタン樹脂粉体等のブロッキングを起こしやすい樹脂粉体用として、好適に用いられる。
【図面の簡単な説明】
【図１】本発明の実施の形態の１例を示す正面図である。
【図２】本発明の実施の形態の１例の保管状態を示す斜視図である。
【符号の説明】
１  胴部
２  上面部
３  下面部
４ａ，４ｂ  吊りベルト（横方向）
５ａ，５ｂ  吊りロープ（縦方向）
２１  筒状体
２２  縛り紐
３１  筒状体
３２  縛り紐
【図１】
2004352288.tif 000003
【図２】
2004352288.tif 000004